(57)【要約】【課題】実際の使用状況に応じて適切な明るさに制御することができる照明制御システムを提供する。  【解決手段】少なくとも複数の照明機器Ｌと、照明空間を区割りしたエリアＥ毎に設置され照明空間の照度を計測する複数の照度センサＳと、設定値に基づいて照明機器の照明出力を制御する制御部２とを備え、前記制御部は、夜間における前記照明機器の点灯時の前記照度センサによる計測値に基づいて前記エリア毎に設定値を設定し、昼間における前記照度センサの計測値が、前記設定値より高いときは、その該当エリアに設置された前記照明機器の照明出力を下げる一方、前記設定値よりも低いときは、その該当エリアに設置された前記照明機器の照明出力を上げる制御を行うことを特徴とする。【選択図】図１
2013069452.tif 000002
【特許請求の範囲】
【請求項１】
少なくとも複数の照明機器と、照明空間を区割りしたエリア毎に設置され照明空間の照度を計測する複数の照度センサと、設定値に基づいて照明機器の照明出力を制御する制御部とを備え、
前記制御部は、夜間における前記照明機器の点灯時の前記照度センサによる計測値に基づいて前記エリア毎に設定値を設定し、昼間における前記照度センサの計測値が、前記設定値より高いときは、その該当エリアに設置された前記照明機器の照明出力を下げる一方、前記設定値よりも低いときは、その該当エリアに設置された前記照明機器の照明出力を上げる制御を行うことを特徴とする照明制御システム。
【請求項２】
請求項１において、
前記設定値は、夜間に前記エリア毎に計測を行い、前記エリア毎に計測値を複数回サンプリングして取得した数値の平均値とすることを特徴とする照明制御システム。
【請求項３】
請求項１または請求項２において、
前記制御部は、前記設定値に基づいて昼間の前記照明機器の制御を行う日射利用運転モードと、通常の運転を行う通常運転モードとを切り替え制御するモード切替部を有していることを特徴とする照明制御システム。
【発明の詳細な説明】
【技術分野】
【０００１】
本発明は、照明制御システムに関する。
【背景技術】
【０００２】
従来より、照度センサでの測定値に基づいて照明機器の無駄な点灯を省く制御を行う調光システムや照明制御装置が提案されている。
例えば特許文献１には、昼光の明るさを検知する昼光センサと、昼光センサの検知した明るさが一定レベル以上の時、昼光センサからの検知信号に対応してあるレベルの点灯状態から除々に一定時間かけて所定調光状態に照明負荷を調光制御する調光制御手段とを備えた調光システムが記載されている。
また特許文献２には、受光素子と、受光素子により照明空間の照度を測定する照明センサと、照明器具の照射を制御するコントローラとを備えた照明制御装置が記載されている。この照明制御装置は、受光素子の出力を演算して可視光線領域の成分を抽出し、抽出結果に基づいて照明空間を予め設定した所定照度になるように照明器具の照射を制御する。
【先行技術文献】
【特許文献】
【０００３】
【特許文献１】特開昭５６−９６４８９号公報
【特許文献２】特開２００４−３０３５８２号公報
【発明の概要】
【発明が解決しようとする課題】
【０００４】
このように室内などの照明空間の明るさを制御する方法は種々提案されているが、実際に、その室内を使用する人にとって、その明るさが妥当なものかはわからない点が問題となる。すなわち、室内で必要な明るさの程度は、人の行動範囲や家具などの設置位置にも左右され、人が行動しない場所や家具などが設置されている場所などは明るさを必要としない。よって、照度センサによる計測値などに基づいて制御を行う場合でも、室内全体を一様に明るくする必要はないといえる。また室内を模様替えすることによって、家具などの配置や照明機器の設置位置が変わる場合、エリアによって必要な明るさが変わることもある。
【０００５】
本発明は、前記課題に鑑みなされたものであり、実際の使用状況に応じて適切な明るさに制御することができる照明制御システムを提供することを目的としている。
【課題を解決するための手段】
【０００６】
前記目的を達成するために、本発明に係る照明制御システムは、少なくとも複数の照明機器と、照明空間を区割りしたエリア毎に設置され照明空間の照度を計測する複数の照度センサと、設定値に基づいて照明機器の照明出力を制御する制御部とを備え、前記制御部は、夜間における前記照明機器の点灯時の前記照度センサによる計測値に基づいて前記エリア毎に設定値を設定し、昼間における前記照度センサの計測値が、前記設定値より高いときは、その該当エリアに設置された前記照明機器の照明出力を下げる一方、前記設定値よりも低いときは、その該当エリアに設置された前記照明機器の照明出力を上げる制御を行うことを特徴とする。
【０００７】
本発明において、前記設定値は、夜間に前記エリア毎に計測を行い、前記エリア毎に計測値を複数回サンプリングして取得した数値の平均値としてもよい。
また本発明において、前記制御部は、前記設定値に基づいて昼間の前記照明機器の制御を行う日射利用運転モードと、通常の運転を行う通常運転モードとを切り替え制御するモード切替部を有するようにしてもよい。
【発明の効果】
【０００８】
本発明に係る照明制御システムは、上述のような構成としたことで、実際の使用状況に応じて適切な明るさに制御することができる。
【図面の簡単な説明】
【０００９】
【図１】本実施形態に係る照明制御システムが採用された室内の一例を示す模式的斜視図である。
【図２】同照明制御システムの構成の一例を示すブロック図である。
【図３】（ａ）〜（ｃ）同照明制御システムにおける制御の一例を示した表である。
【図４】同照明制御システムにおける夜間の設定値センシング処理の動作の一例を示すフローチャートである。
【図５】同照明制御システムにおける昼間の照明機器制御処理の動作の一例を示すフローチャートである。
【発明を実施するための形態】
【００１０】
以下に本発明の実施の形態について、図面に基づいて説明する。
本実施形態に係る照明制御システム１は、少なくとも複数の照明機器Ｌと、照明空間を区割りしたエリアＥ毎に設置され照明空間の照度を計測する複数の照度センサＳと、設定値に基づいて照明機器Ｌの照明出力を制御する制御部２とを備えている。
制御部２は、夜間における照明機器Ｌの点灯時の照度センサＳによる計測値に基づいてエリアＥ毎に設定値を設定する。そして昼間における照度センサＳの計測値が、設定値より高いときは、その該当エリアＥに設置された照明機器Ｌの照明出力を下げる（または照明出力をオフにしてもよい）。その一方、昼間における照度センサＳの計測値が、設定値よりも低いときは、その該当エリアＥに設置された照明機器Ｌの照明出力を上げる制御を行う。
以下、詳しく説明する。
【００１１】
まず図１に示すように照明制御システム１が採用される室内、すなわち照明空間は、複数のエリアＥに区割りされている。エリアＥをどのように区割りするかは特になにか限定される事項があるわけではなく、例えば照明器具Ｌの設置場所毎にエリアＥを区割りしてもよいし、エリアＥを等分するようにわけてもよく、エリアＥの広さに応じて設定される。区割りするエリアＥの数が多いほど、きめ細かい制御を行うことができ、図例ではエリアＥをＥ１〜Ｅ４の４つに分けた例を示している。以下ではひとつの照明空間を４つに区割りした場合について説明する。
【００１２】
照明空間には、区割りされたエリアＥの夜間及び昼間の照度を計測するため、エリアＥ毎に照度センサＳが設けられている。具体的には、図１に示すように区割りされたエリアＥ１，Ｅ２・・・毎の周辺の壁などに照度センサＳ１，Ｓ２・・・が設置される。図１ではエリアＥ４の照度センサＳの図示は省略しているが、実際には、エリアＥ４の周辺の壁などに設置される。なお、照度センサＳは壁に設置されるものに限定されず、床に暖房パネルを配している場合は、暖房パネルのヒータブロック毎に日射センサを内蔵させるようにしてもよい。
照明機器Ｌの構成としては、特に限定されず、図例では、エリアＥ１に設置された家具１０の上に吊り下げタイプの照明機器Ｌ１が設置され、エリアＥ２にはスタンドタイプの照明機器Ｌ２が設置されている。またエリアＥ３とエリアＥ４の間には、同じくエリアＥ３とエリアＥ４に設置されたテーブル１１の上方に吊り下げタイプの照明機器Ｌ３が設置されている。図１において、１ａは、照明空間の壁に設置され、この照明制御システム１のオンオフやモードの切り替え等を操作する操作部３等を備えた統合制御ユニットである。
【００１３】
統合制御ユニット１ａは、図２に示すように照明機器Ｌのオンオフ、モードの切り替え、センシングによる設定される設定値に基づいて制御を行う制御部２と、上述の操作部３と、夜間と昼間とを判別するために時間を計時するタイマ部４とを備えている。また制御部２は、設定値に基づいて昼間の照明機器Ｌの制御を行う日射利用運転モードと、通常の運転を行う通常運転モードとを切り替え制御するモード切替部２０を備える他、設定値、計測値等を記憶するメモリ部（不図示）等を備えている。ここで、設定値の設定方法は、特に限定されないが、後述するように夜間の照明機器Ｌ点灯時にエリアＥ毎に計測を行い、エリアＥ毎の計測値を複数回サンプリングして取得した数値の平均値としてもよいし、夜間のピーク値を設定値としてもよい。
さらに本実施形態では、昼夜の判別をタイマ部４による計時によって判別する例を説明するが、これに限定されず図１に点線で示すように画像センサＣ（カメラ）を設置し、室内全体をセンシングして昼夜の判別を行うようにしてもよい。
そして統合制御ユニット１ａと、制御対象となる複数の照明機器Ｌ（Ｌ１，Ｌ２・・・）及び照度を計測する複数の照度センサＳ（Ｓ１，Ｓ２・・・）とは、信号線が接続されている。これにより、制御部２から照明機器Ｌへ制御信号を送ることができる。また、照度センサＳでの計測値を制御部２へ送ることができる。
このようにモード切替部２０を有したものとすれば、日射利用運転モードと通常運転モードとを切り替え制御することができるので、使用者の所望するモードで使用することができる。
【００１４】
図３（ａ）〜（ｃ）は、照明制御システム１における制御の一例を示した表である。図３（ａ）に示した表は、各エリアＥ（Ｅ１〜Ｅ４）の夜間のセンシングにより決定された設定値を示している。また図３（ｂ）に示した表は、各エリアＥ（Ｅ１〜Ｅ４）の昼間の照度センサＳ（Ｓ１，Ｓ２・・・）による計測結果を示している。図３（ｃ）に示した表は、昼間の計測値と夜間のセンシングにより決定された設定値から行われる照明出力への制御内容を示している。この表では明るさを５段階の数値１〜５で示し、暗いほど「１」、明るいほど「５」で示している。
【００１５】
例えば図３（ａ）の表から、エリアＥ１の夜間における照明機器Ｌの点灯時の照度センサＳ１の計測値に基づいて設定値が、明るさ「１」と判別されたとことがわかる。そして図３（ｂ）より、昼間のエリアＥ１は、明るさ「２」と照度センサＳ１によって計測されているので、エリアＥ１は昼間における照度センサＳ１の計測値が、設定値より高いということになる。よって昼間の照度は十分にあるとして、エリアＥ１に設置された照明機器Ｌ１の照明出力を下げる制御がなされる。なお、この場合、照明出力をオフする制御を行うようにしてもよい。
【００１６】
同様に例えば図３（ａ）から、エリアＥ２の夜間における照明機器Ｌの点灯時の照度センサＳ２の計測値に基づいて設定値が、明るさ「３」と判別されたとことがわかる。そして図３（ｂ）より、昼間のエリアＥ２は、明るさ「２」と照度センサＳ２によって計測されているので、エリアＥ２は昼間における照度センサＳ２の計測値が、設定値より低いということになる。よって昼間の照度が足りないとして、エリアＥ２に設置された照明機器Ｌ２の照明出力を上げる制御がなされる。
【００１７】
次いで例えば図３（ａ）から、上述と同様にみていくと、エリアＥ３及びＥ４の設定値が、明るさ「５」と判別されたとことがわかる。図３（ｂ）より、昼間のエリアＥ３は明るさ「４」、エリアＥ４は明るさ「５」と計測されている。このエリアＥ３及びＥ４には、照明機器Ｌが照明機器Ｌ３のひとつなので、エリアＥ３の計測値に従えば、照明機器Ｌ３の照明出力を上げる制御がなされる。
このときの制御は、照明出力を上げる方に基づく制御としてもよいし、節電効果を挙げるために照明出力を下げる方に基づく制御としてもよい。また、エリアＥ４では、設定値と計測値が同じ値を示したので、照明出力の制御は行わない制御としてもよい。この場合も節電効果が期待できる。
以上によれば、例えば昼間の室内の明るさが、夜間における照明機器Ｌの点灯時の明るさよりも明るい場合は、そのエリアＥの明るさは足りているとして照明機器Ｌの照明出力を下げる制御がなされる。したがって、実際の使用状況に応じて適切な明るさに制御することができるので、快適な空間とすることができるとともに、無駄な点灯を防ぎ節電することができる。
【００１８】
次に図４を参照しながら、夜間の設定値センシング処理の動作の一例を説明する。なお、図４に示すフローチャートは一例であって、これに限定されない。
まずタイマ部４での計時によって夜間の時間帯に照明機器Ｌのオンされたら、エリアＥ毎に明るさのサンプリングを開始する（Ｓ１００）。そしてエリアＥ１〜Ｅ４の明るさのサンプリングを順次エリアＥ毎に行う（Ｓ１０１）。エリアＥ毎の計測値を複数回サンプリングして取得した数値の平均値を設定値とする（Ｓ１０２，Ｓ１０４）。これを全エリアＥ１〜Ｅ４の設定値の設定が終了するまで行う（Ｓ１０３）。
【００１９】
続いて図５を参照しながら、昼間の照明機器制御処理の動作の一例を説明する。なお、図５に示すフローチャートも一例であって、これに限定されない。
まずタイマ部４での計時によって昼間の時間帯に通常運転モードから日射利用運転モードにモード変更があると（Ｓ２００）、照度センサＳによるエリアＥ毎の明るさのサンプリングを開始する（Ｓ２０１）。そして例えばエリアＥ１の明るさが設定値とって計測された計測値が設定値と同じだった場合は、照明機器Ｌの出力制御は行わず、次のエリアＥの計測値と設定値を比較する（Ｓ２０２，Ｓ２０６）。そこで、計測値が設定値より低い場合は、照明機器Ｌの照明出力を上げ、計測値が設定値より高い場合は照明出力を下げる制御を行う（Ｓ２０２〜Ｓ２０５）。ここで昼間の日射量は、時間とともに変化するので、昼間通常運転モードに切り替わらないかぎりはこの制御を繰り返し実施する。
以上によれば、明るさの設定が使用者に違和感を感じさせない明るさ、すなわち昼夜が同じ明るさの空間で過ごすことができる。また自動制御で照明出力の制御を行うことができ、使用者側での設定も不要なため、使用上の煩わしさもない。さらに使用者、エリアＥにあった明るさの設定を行うことができるので、室内の模様替えや照明機器の設置位置の変更にも対応することができる。
【００２０】
以上、実施形態で説明した照明制御システム１、照明機器Ｌ１，Ｌ２・・・、照度センサＳ１，Ｓ２・・・などの構成、形状等は図例に限定されない。例えば照明機器Ｌは、区割りされたエリアＥの数以上あってもよいし、照明機器Ｌのタイプも図例の他、天井や壁などに直接取り付けられるもの、ダクトを介して取り付けられるものでもよい。また室内に設置された家具１０やテーブル１１の構成、形状等ももちろん限定されない。
【符号の説明】
【００２１】
１      照明制御システム
Ｌ（Ｌ１，Ｌ２・・・）      照明機器
Ｅ（Ｅ１，Ｅ２・・・）      エリア
Ｓ（Ｓ１，Ｓ２・・・）      照度センサ
２      制御部
【図１】
2013069452.tif 000003
【図２】
2013069452.tif 000004
【図３】
2013069452.tif 000005
【図４】
2013069452.tif 000006
【図５】
2013069452.tif 000007